(57)【要約】      （修正有）【課題】点検口から昇降路内側の機器を点検する際に、点検口と機器の間に点検台を設けることにより、作業者はひじを置くなどして体勢を安定させることができ、また、点検用の工具等を置くことができる安全性、作業性の良いエレベーターの点検装置を提供する。【解決手段】乗りかご２が昇降する昇降路１内に設置された昇降路１内の機器を昇降路１の外部から点検可能とする昇降路１の壁に設けられた点検開口部９を有するエレベーターの点検装置において、前記点検口９部と対向し、且つその昇降時に前記乗りかご２と干渉しない昇降路１内位置に配設される点検台１０を設ける。【選択図】図１
2007169003.tif 000002
【特許請求の範囲】
【請求項１】
乗りかごやつり合い重りを含むエレベーター昇降体が昇降する昇降路内に設置された昇降路内機器を昇降路外部から点検可能とする昇降路壁に設けられた点検開口部を有するエレベーターの点検装置において、
前記点検口部と対向し、且つその昇降時に前記昇降体と干渉しない昇降路内位置に配設される点検台を設けたことを特徴とするエレベーターの点検装置。
【請求項２】
請求項１に記載のエレベーター点検装置において、
前記点検台は、前記点検開口部の底面とほぼ同一面を形成するように配設したことを特徴とするエレベーターの点検装置。
【請求項３】
請求項１もしくは請求項２の少なくともいずれか一方に記載されたエレベーターの点検装置において、前記点検台の縁部に点検台よりも上方へ突き出させたけ上げ部を設けたことを特徴とするエレベーターの点検装置。
【発明の詳細な説明】
【技術分野】
【０００１】
本発明は、エレベーターの乗りかごに出入り口が２つ設置された場合で、且つ片側の出入り口が最下階のみに設置される場合において、乗りかご上の最下階側出入り口用かごの戸の開閉機構を点検・修理するために設けられる、点検開口部を有するエレベーター点検装置に関する。
【背景技術】
【０００２】
一般にエレベーター乗りかごの戸の開閉機構は、乗りかごの上に設置され、この戸の開閉機構を点検する場合は、最下階以外の乗り場で、乗りかごを乗り場位置より少し下げた位置に停止させた後、乗り場の戸を開けて乗り場より行う。しかし、最下階にしか出入り口が無い側の戸の開閉機構を点検する場合には、最下階より下に乗りかごを移動させることができないため最下階出入り口の上方等の昇降路壁に点検用開口部として点検口を設け、その点検口から戸の開閉機構を点検する方法がとられている。そしてこの点検口の構造としては、開閉できる点検口扉に、その開放時乗り場側扉の開放動作を阻止するストッパーを設けて構成し、乗り場側扉が何等かの原因で開こうとしてもストッパーに当たって開けないようにしている点検口が知られている。
【特許文献１】実開昭６０−６１２５９（５頁、図２）
【発明の開示】
【発明が解決しようとする課題】
【０００３】
一般に点検口を使って昇降路内機器の点検等を行う場合、点検口が出入口上部の場合では、作業者が脚立の上であったり、点検口が出入口の設置されない階の建屋床近くに設置される場合には、作業者がしゃがみ込んだ状態であったりして作業者の体勢が不安定な場合が多い。
【０００４】
しかし、上記従来の点検口では、点検口の扉を開いて機器を点検しようとした場合、点検口と機器との隙間が大きい場合でも、体勢を維持するために身体を支える場所が無く不安定な体勢で作業を行うしかなく、非常に作業性が悪いという問題があった。
【０００５】
本発明は、上記のような問題点を解消するためになされたもので、点検口と機器の間に点検台を設けることにより、作業者はひじを置くなどして体勢を安定させることができ、さらに、点検用の工具等を置くことができる安全性、作業性の良いエレベーターの点検装置を提供することにある。
【課題を解決するための手段】
【０００６】
上記課題を解決するため、本発明は、乗りかごやつり合い重りを含むエレベーター昇降体が昇降する昇降路内に設置された昇降路内機器を昇降路外部から点検可能とする昇降路壁に設けられた点検開口部を有するエレベーターの点検装置において、
前記点検口部と対向し、且つその昇降時に前記昇降体と干渉しない昇降路内位置に配設される点検台を設けたことを特徴としている。
【０００７】
また、前記点検台は前記点検開口部の底面とほぼ同一面を形成するように配設したことや、前記点検台の縁部に点検台よりも上方へ突き出させたけ上げ部を設けたことを特徴としている。
【発明の効果】
【０００８】
本発明のエレベーターの点検装置では、点検口を使用しての作業時に体勢を安定させ易く、また工具等を置くことも可能となるため、作業時の安全性、作業性が向上する。
【発明を実施するための最良の形態】
【０００９】
以下、本発明の一実施の形態を図１及び図２に基づいて説明する。図１は本発明の一実施形態に係るエレベーター点検装置が設置されるエレベーターの昇降路の断面図、図２は前記エレベーター点検装置が設置される点検口部の拡大図である。まず図１によりエレベーター昇降路における前記エレベーター点検装置の実装位置について説明する。
【００１０】
１は昇降体が昇降する昇降路であり、２は昇降路１を昇降する乗りかごである。尚本実施の形態では２階床の場合を示しており、今、昇降路１の上方に上階乗り場床３と上階出入口用乗り場ドア５が設置され、昇降路１の下方に下階乗り場床４と下階出入口用乗り場ドア６が設置されている。乗りかご２には、上階出入口用かごドア７ａと上階出入口用かごドア駆動装置７ｂが、さらに下階出入口用かごドア８ａと下階出入口用かごドア駆動装置８ｂが設置されている。そして、上階乗り場床３から開閉できる高さの位置、且つ下階出入口側の昇降路１の壁に点検口９が設置されており、さらに、前記点検口９の昇降路内に点検台１０が設置されている。なお、前記点検台１０は昇降路１内を乗りかご２が及び図示しないつり合いおもりが昇降しても、すべての機器と干渉しない位置に設置されている。
【００１１】
次に図２において、点検口９部の詳細構造を説明する。点検口９部には点検口扉９ａと図示しない点検口用ドアスイッチ等が設けられている。この点検口扉９ａを開けると、点検口９から昇降路１の内側に向かって点検台１０が設置されている、なお前記点検台１０には縁部に上方へ突き出したけ上げ部１０ａが設けられており、点検用の工具等を置いた場合にも昇降路１内へ落下させ難いような構造としている。
【００１２】
この前記点検台１０があることにより、点検口９から下階出入口用かごドア駆動装置等を点検する際には、点検口扉９ａを開けて、点検口９に身体をもぐりこませた後、点検台１０にひじを置いて体勢を安定させることができる、また図示しない点検用の工具を一時的に置くことも可能となるため、図示しない作業者の安全と作業効率の向上が図れる。
【００１３】
なお、本発明の範囲は、上記実施形態に限定されるものではなく、本発明の範囲内で多くの修正および変更を加えることは勿論である。例えば、点検台１０の幅、奥行きの寸法を任意に設定しても良いし、け上げ部１０ａの高さを任意に設定しても良い、また、点検台１０の設置方法についても任意の方法で設置して良い。
【図面の簡単な説明】
【００１４】
【図１】本発明の実施形態を示すエレベーター点検装置が設置されるエレベーターの昇降路の断面図。
【図２】本発明のエレベーター点検装置が設置される点検口部の拡大図。
【符号の説明】
【００１５】
１  昇降路
２  乗りかご
３  上階乗り場床
４  下階乗り場床
５  上階出入口用乗り場ドア
６  下階出入口用乗り場ドア
７ａ  上階出入口用かごドア７ａ
７ｂ  上階出入口用かごドア駆動装置７ｂ
８ａ  下階出入口用かごドア８ａ
８ｂ  下階出入口用かごドア駆動装置８ｂ
９  点検口
９ａ  点検口扉
１０  点検台
１０ａ  点検台け上げ部
【図１】
2007169003.tif 000003
【図２】
2007169003.tif 000004